(57)【要約】【課題】      蒸気温度の均一化。【解決手段】  蒸気吸入器は、蒸気発生源から送出される蒸気を、蒸気通路２４を介在させて吸入マスク側に供給する。蒸気通路２４は、両端が開口した中空円筒状に形成され、その壁面に加熱用ヒータ３４が設けられている。蒸気通路２４の内面側に、加熱用ヒータ３４に対向する蒸気誘導部材３６が設置されている。蒸気誘導部材３６は、上端が閉止した中空円筒状の内筒３６０と、内筒３６０の上端外周に所定の間隔を隔てて配置され、両端が開口した短尺な外筒３６１とを備えている。外筒３６１は、墳霧口２６の内径とほぼ同じ外形を備え、周方向に沿って配置された複数の連結部３６２を介して、内筒３６０の上端に連結支持されていて、内筒３６０と外筒３６１との間に、吸入マスク３２側に開口する排出口３６３が設けられている。加熱用ヒータ３４の壁面の内方に、蒸気Ｖが通過する幅の狭い狭小蒸気通路３８が、リング状に形成されている。【選択図】    図５
2006217955.tif 000002
【特許請求の範囲】
【請求項１】
蒸気発生源から送出される蒸気を、蒸気通路を介在させて吸入マスク側に供給する蒸気吸入器において、
前記蒸気通路の壁面に加熱用ヒータを配置するとともに、前記蒸気通路の内面側に、前記加熱用ヒータに対向する蒸気誘導部材を設置して、前記壁面の内方に前記蒸気が通過する幅の狭い狭小蒸気通路を形成することを特徴とする蒸気吸入器。
【請求項２】
吸入器本体と、
前記吸入器本体に装着される蒸気発生器と、
前記吸入器本体に設けられる蒸気放出用の吸入マスクとを備え、
前記吸入器本体に、前記蒸気発生器の蒸気を、前記吸入マスク側に送り出す蒸気通路が形成され、当該蒸気通路に加熱用ヒータが配置される蒸気吸入器において、
前記加熱用ヒータの内側には、筒状ないしは棒状の蒸気誘導部材が配置され、
前記蒸気発生器からの蒸気が前記蒸気誘導部材の外周で、かつ、前記加熱用ヒータの内側を通過することを特徴とする蒸気吸入器。
【請求項３】
前記蒸気通路は、中空円筒状に形成され、前記加熱用ヒータを前記蒸気通路の外周に捲回設置し、前記蒸気誘導部材は、上端外周に、前記吸入マスク側に開口する前記蒸気の排出口が設けられた円筒状に形成して、前記狭小蒸気通路をリング状に形成することを特徴とする請求項１または２記載の蒸気吸入器。
【請求項４】
前記加熱用ヒータは、前記蒸気通路の内壁となる金属筒と、電気絶縁部材を両面側に介在させて、前記金属筒の外周に捲回された鉄クロム線と、前記電気絶縁部材の外周を被覆する合成樹脂フィルムとを備え、前記鉄クロム線に通電することにより、前記金属筒を１００℃以上の温度に加熱することを特徴とする請求項３記載の蒸気吸入器。
【請求項５】
前記蒸気誘導部材は、前記排出口が上端側に設けられた中空円筒状に形成され、下端側の側面に前記蒸気の一部を内部から外部に向けて放出する放出孔を有すること特徴とする請求項３または４記載の蒸気吸入器。
【請求項６】
前記蒸気誘導部材は、その外側面に螺旋状のリブを設けることを特徴とする請求項５記載の蒸気吸入器。
【請求項７】
前記蒸気発生源は、超音波式カートリッジからなることを特徴とする請求項１〜６のいずれか１項記載の蒸気吸入器。
【発明の詳細な説明】
【技術分野】
【０００１】
この発明は、蒸気吸入器に関し、特に、霧状蒸気の温度の均一化を図る技術に関するものである。
【背景技術】
【０００２】
蒸気吸入器の一種として、例えば、特許文献１に開示される構造のものが公知である。この特許文献１に開示されている吸入器は、タンク部で発生した蒸気を、蒸気流通路を介して、蒸気ノズルから吸入マスクに噴出させるとともに、蒸気ノズルの近傍に吸上げノズルを配置し、蒸気ノズルから噴射される蒸気の負圧により、吸上げノズルを介して、吸入液を吸上げて、これを蒸気とともに、吸入マスクに供給するようにしている。
【０００３】
ところが、この種の蒸気吸入器では、蒸気の温度が適温になるまでの時間は短いが、蒸気通路内で結露が発生すると、蒸気ノズルから高温の湯玉が外部に噴出する恐れがあった。
【０００４】
そこで、特許文献１に開示されている蒸気吸入器では、蒸気通路の内壁に、面状ヒータを配置して、ヒータにより蒸気を加熱することで、結露の発生を防止している。
【０００５】
しかしながら、このような構造の蒸気吸入器には、以下に説明する技術的な課題があった。
【特許文献１】特開２００１−１４９４７５公報
【発明の開示】
【発明が解決しようとする課題】
【０００６】
すなわち、特許文献１に開示されている蒸気吸入器では、蒸気通路の内壁に面状ヒータを配置して、これにより蒸気を過熱するので、結露の発生を防止することができるにしても、加熱される蒸気は、蒸気通路の内壁の近傍を通過する部分だけであって、蒸気通路の中心部分を通過する蒸気は、熱が殆ど加えられないので、吸入マスクに供給される蒸気は、断面内で温度分布が不均一になるという問題があった。
【０００７】
本発明は、このような従来の問題点に鑑みてなされたものであって、その目的とするところは、吸入マスク側に温度分布の均一な蒸気を供給することができる蒸気吸入器を提供することにある。
【課題を解決するための手段】
【０００８】
上記目的を達成するために、本発明は、蒸気発生源から送出される蒸気を、蒸気通路を介在させて吸入マスク側に供給する蒸気吸入器において、前記蒸気通路の壁面に加熱用ヒータを配置するとともに、前記蒸気通路の内面側に、前記加熱用ヒータに対向する蒸気誘導部材を設置して、前記壁面の内方に前記蒸気が通過する幅の狭い狭小蒸気通路を形成するようにした。
【０００９】
このように構成した蒸気吸入器によれば、蒸気通路の内面側に、加熱用ヒータに対向する蒸気誘導部材を設置して、壁面の内方に蒸気が通過する幅の狭い狭小蒸気通路を形成するので、加熱用ヒータの熱は、狭小蒸気通路を通過する蒸気全体に伝達されて、吸入マスク側に供給される蒸気の温度分布が不均一になることを防止することができる。
【００１０】
また、本発明は、吸入器本体と、前記吸入器本体に装着される蒸気発生器と、前記吸入器本体に設けられる蒸気放出用の吸入マスクとを備え、前記吸入器本体に、前記蒸気発生器の蒸気を、前記吸入マスク側に送り出す蒸気通路が形成いされ、当該蒸気通路に加熱用ヒータが配置される蒸気吸入器において、前記加熱用ヒータの内側には、筒状ないしは棒状の蒸気誘導部材が配置され、前記蒸気発生器からの蒸気が前記蒸気誘導部材の外周で、かつ、前記加熱用ヒータの内側を通過するようにした。
【００１１】
このように構成した蒸気吸入器においても、蒸気誘導部材を設置することにより、蒸気通路が狭められるので、加熱用ヒータの熱は、狭小蒸気通路を通過する蒸気全体に伝達されて、吸入マスク側に供給される蒸気の温度分布が不均一になることを防止することができる。
【００１２】
前記蒸気通路は、中空円筒状に形成され、前記加熱用ヒータを前記蒸気通路の外周に捲回設置し、前記蒸気誘導部材は、上端外周に前記吸入マスク側に開口する前記蒸気の排出口が設けられた円筒状に形成して、前記狭小蒸気通路をリング状に形成することができる。
【００１３】
前記加熱用ヒータは、前記蒸気通路の内壁となる金属筒と、電気絶縁部材を両面側に介在させて、前記金属筒の外周に捲回された鉄クロム線と、前記鉄クロム線の外周を被覆する合成樹脂フィルムとを備え、前記鉄クロム線に通電することにより、前記金属筒を１００℃以上の温度に加熱することができる。
【００１４】
この構成によれば、狭小蒸気通路を通過する蒸気中に含まれている霧粒子（水分粒子）が、金属筒に当たると、これが１００℃以上の温度に加熱されているので、瞬時に蒸発して蒸気となり、蒸気の温度をすばやく上昇させることができる。
【００１５】
前記蒸気誘導部材は、前記排出口が上端側に設けられた中空円筒状に形成され、下端側の側面に前記蒸気の一部を内部から外部に向けて放出する放出孔を設けることができる。
【００１６】
この構成によれば、放出孔から外部に向けて放出された蒸気は、蒸気誘導部材と対向する加熱用ヒータの金属筒に当たるので、より一層蒸気の温度をすばやく上昇させることができるとともに、狭小蒸気通路内には、２つの蒸気の流れが発生して、これらが混合されるので、蒸気温度の均一化も促進させる。
【００１７】
前記蒸気誘導部材は、その外側面に螺旋状のリブを設けることができる。
この構成によれば、狭小蒸気通路内に螺旋状のリブが介装されることになるので、蒸気は、狭小蒸気通路内で旋回し、この旋回に伴う遠心力を蒸気中に含まれている霧粒子（水分粒子）が受けると、外側の金属筒に当たり、瞬時に蒸発して蒸気となる。このような現象は、リブの形成されている範囲内で発生して、より一層蒸気の温度をすばやく上昇させるとともに、旋回を起すことで、蒸気の混合が行われ、温度の均一化も促進する。
【００１８】
さらに、このような旋回は、吸入マスク内に持ち込まれて、吸入マスクの中で遠心力により蒸気が旋回して、吸引マスク全体に広がり、吸入マスク内での蒸気温度の均一化に貢献すると共に、旋回している蒸気は、指向性を有していて、より遠方に到達するので、吸入器を使用する使用者の喉などのより奥側まで侵入させることができる。
前記蒸気発生源は、超音波式カートリッジから構成することができる。
【発明の効果】
【００１９】
本発明にかかる蒸気吸入器によれば、吸入マスク側に供給される蒸気の温度分布が不均一になることを防止することができる。
【発明を実施するための最良の形態】
【００２０】
以下、本発明の好適な実施の形態について、添付図面に基づいて詳細に説明する。
【実施例１】
【００２１】
図１〜図５は、本発明に係る蒸気吸入器の第１実施例を示している。これらの図に示した蒸気吸入器は、蒸気発生源として、超音波式カートリッジ１０を用いる場合に適用した例である。
【００２２】
超音波式カートリッジ１０は、本体１２に装着されることにより、電極１４に接続されて、電極１４から電力を受けて、内蔵された超音波振動子の駆動により、蒸気を発生するものであって、上端に霧化タンク１６と、その側方に配置された送風ファン１８とを備えている。
【００２３】
カートリッジ１０には、霧化タンク１６と送風ファン１６の上方を覆う、カバー２０が装着され、カバー２０には、霧化タンク１６の開口に対応して、貫通孔２２が設けられていて、カートリッジ１０は、カバー２０を取り付けた状態で本体１２に装着される。
【００２４】
本体１２には、霧化タンク１６の上端開口に連通するようにして、貫通孔２２の上方に位置する蒸気通路２４が設けられていて、その上端側は、開口した蒸気噴霧口２６となっている。
【００２５】
本体１２には、開始／終了スイッチ２８が設けられ、商用電源に接続する電源コード３０が取付けられている。蒸気通路２４の墳霧口２６には、使用者が口に当てる吸入マスク３２が装着される。
【００２６】
このような蒸気吸入器としての基本的な構成は、従来のこの種のものとほぼ同じであるが、本実施例の吸入器は、以下に点に顕著な特徴がある。すなわち、本実施例の場合、蒸気発生源である超音波式カートリッジ１０から送出される蒸気Ｖを、蒸気通路２４を介在させて吸入マスク３２側に供給するが、この蒸気通路２４を以下のように構成している。
【００２７】
蒸気通路２４は、その詳細を図３〜図５に示すように、両端が開口した中空円筒状に形成され、その壁面に加熱用ヒータ３４が設けられている。加熱用ヒータ３４は、図４にその断面構造を示すように、蒸気通路２４の内壁となり、例えば、アルミニウムなどの熱伝導性の良い金属で形成された金属筒３４ａと、電気絶縁部材、本実施例の場合は、マイカ板３４ｂを両面側に介在させて、金属筒３４ａの外周に捲回された鉄クロム線３４ｃと、マイカ板３４ｂの外周面を被覆する合成樹脂フィルム３４ｄとから構成されている。
【００２８】
このように構成された加熱用ヒータ３４の両端側には、図３に示すように、上，下リング板３４ｅ，３４ｆが固設され、上リング板３４ｅは、本体１２に設けられた墳霧口２６の下端に固設されているとともに、下リング板３４ｆは、本体１２と一体に形成されている。上リング板３４ｅが墳霧口２６に固設された部分には、段部３５が形成されている。
【００２９】
以上のように構成された加熱用ヒータ３４は、鉄クロム線３４ｃに通電することにより、金属筒３４ａが加熱され、このときの加熱温度は、例えば、１００℃以上に設定されていて、霧状の蒸気Ｖ中に含まれている粒子が当接すると、瞬時ないしは短時間に蒸発するようになっている。
【００３０】
また、本実施例の場合には、上記構成の蒸気通路２４の内面側に、加熱用ヒータ３４に対向する蒸気誘導部材３６が設置されている。この蒸気誘導部材３６の設置状態の詳細を図５に示している。
【００３１】
本実施例の蒸気誘導部材３６は、上端が閉止した中空円筒状の内筒３６０と、内筒３６０の上端外周に所定の間隔を隔てて配置され、両端が開口した短尺な外筒３６１とを備えている。なお、この蒸気誘導部材３６は、中空筒状に形成すること以外に、中実な棒状のものであっても良いし、角形断面や長円ないしは楕円断面のものであっても良い。
【００３２】
外筒３６１は、墳霧口２６の内径とほぼ同じ外形を備え、周方向に沿って配置された複数の連結部３６２を介して、内筒３６０の上端に連結支持されていて、内筒３６０と外筒３６１との間に、吸入マスク３２側に開口する排出口３６３が設けられている。
【００３３】
連結部３６２の一部は、内筒３６０の上端よりも上方に突出していて、蒸気誘導部材３６を装着する際のつまみを兼ねている。排出孔３６３は、リング状に形成され、連結部３６２によって、ほぼ９０°の等間隔で区切られている。
【００３４】
本実施例の場合、蒸気通路２４内に導入された蒸気Ｖは、この排出口３６３を介して、蒸気通路２４から吸入マスク３２側に送り出される。このような構成の蒸気誘導部材３６は、外筒３６１を墳霧口２６の内部に嵌着して、その下端を段部３５に係止するようにして装着され、このように装着されると、加熱用ヒータ３４の金属筒３４ａの内面に、内筒３６０の外面が所定の間隔を隔てて対向し、壁面の内方に、蒸気Ｖが通過する幅の狭い狭小蒸気通路３８が、リング状に形成されている。この狭小蒸気通路３８は、上端が排出口３６３に連通し、下端側は、カバー２０に設けられた貫通孔２２に連通している。
【００３５】
以上のように構成された蒸気吸入器においては、超音波カーリッジ１０を作動させて、蒸気Ｖを発生させると、その蒸気Ｖは、送風ファン１８に押されて、貫通孔２２を介して、蒸気通路２４に到達し、その後、墳霧口２６を介して、吸入マスク３２に供給され、吸入マスク３２に鼻や喉を近づけている使用者が、蒸気Ｖを吸引することになる。
【００３６】
このとき、蒸気通路２４の加熱用ヒータ３４は、その内壁となる金属筒３４ａが所定の温度まで加熱されている。また、蒸気通路２４の内面側に、加熱用ヒータ３４の金属筒３４ａに対向する蒸気誘導部材３６を設置して、壁面の内方に蒸気が通過する幅の狭い狭小蒸気通路３８が形成されている。
【００３７】
このため、加熱用ヒータ３４の熱は、狭小蒸気通路３８を通過する蒸気Ｖの全体に伝達されて、吸入マスク３２側に供給される蒸気Ｖの温度分布が不均一になることを防止することができる。
【００３８】
また、蒸気Ｖが狭小蒸気通路３８を通過する際に、蒸気Ｖ中に含まれている霧粒子（水分粒子）が、金属筒３４ａに当たると、蒸発して蒸気となり、蒸気Ｖの温度をすばやく上昇させることができる。
【００３９】
このような蒸発による温度上昇効果を有効に発揮させるためには、加熱用ヒータ３４の金属筒３４ａの温度を１００℃以上に設定することが効果的である。このようにすれば、狭小蒸気通路３８を通過する蒸気中に含まれている霧粒子（水分粒子）が、金属筒に当たると、瞬時に蒸発して蒸気となり、蒸気Ｖの温度をすばやく上昇させることができる。
【実施例２】
【００４０】
図６および図７は、本発明に係る蒸気吸入器の第２実施例を示しており、上記第１実施例と同一もしくは相当する部分には、同一符号を付してその説明を省略するとともに、以下にその特徴点についてのみ説明する。
【００４１】
図６および図７は、蒸気吸入器の蒸気誘導部材３６ａを示しており、これらの図に示した蒸気誘導部材３６ａは、上記第１実施例と同様に、上端が閉止した中空円筒状の内筒３６０ａと、内筒３６０ａの上端外周に所定の間隔を隔てて配置され、両端が開口した短尺な外筒３６１ａとを備えている。
【００４２】
外筒３６１ａは、墳霧口２６の内径とほぼ同じ外形を備え、周方向に沿って配置された複数の連結部３６２ａを介して、内筒３６０ａの上端に連結支持されていて、内筒３６０ａと外筒３６１ａとの間に、吸入マスク３２側に開口する排出口３６３ａが設けられている。
【００４３】
また、蒸気誘導部材３６ａを、段部３５に係止するようにして装着すると、加熱用ヒータ３４の金属筒３４ａの内面に、内筒３６０ａの外面が所定の間隔を隔てて対向し、壁面の内方に、蒸気Ｖが通過する幅の狭い狭小蒸気通路３８がリング状に形成される。
【００４４】
本実施例の蒸気誘導部材３６ａは、上記構成に加えて、内筒３６０ａの下端側の側面に、蒸気Ｖの一部が内部に流入させて、これを内部から外部に向けて放出する放出孔３６４ａが設けられている。この放出孔３６４ａは、内筒３６０ａの外周を所定の幅で帯状に、周方向に沿って切欠することにより形成され、対向する位置に複数設けられている。
【００４５】
この構成によれば、放出孔３６４ａから外部に向けて放出された蒸気Ｖは、蒸気誘導部材３６ａと対向する加熱用ヒータ３４の金属筒３４ａに当たり、霧状粒子が蒸発するので、より一層蒸気の温度をすばやく上昇させることができる。
【００４６】
なお、この場合、金属筒３４ａは、１００℃以上に加熱されているものとする。また、本実施例の場合には、狭小蒸気通路３８内には、図７に示すように、２つの蒸気Ｖの流れが発生して、これらが混合されるので、蒸気温度の均一化も促進させることができる。
【実施例３】
【００４７】
図８〜図１１は、本発明に係る蒸気吸入器の第３実施例を示しており、上記第２実施例と同一もしくは相当する部分には、同一符号を付してその説明を省略するとともに、以下にその特徴点についてのみ説明する。
【００４８】
図８および図９は、蒸気吸入器の蒸気誘導部材３６ｂを示しており、これらの図に示した蒸気誘導部材３６ｂは、上記第１実施例と同様に、上端が閉止した中空円筒状の内筒３６０ｂと、内筒３６０ｂの上端外周に所定の間隔を隔てて配置され、両端が開口した短尺な外筒３６１ｂとを備えている。
【００４９】
外筒３６１ｂは、墳霧口２６の内径とほぼ同じ外形を備え、周方向に沿って配置された複数の連結部３６２ｂを介して、内筒３６０ｂの上端に連結支持されていて、内筒３６０ｂと外筒３６１ｂとの間に、吸入マスク３２側に開口する排出口３６３ｂが設けられている。
【００５０】
また、蒸気誘導部材３６ｂを、段部３５に係止するようにして装着すると、加熱用ヒータ３４の金属筒３４ａの内面に、内筒３６０ｂの外面が所定の間隔を隔てて対向し、壁面の内方に、蒸気Ｖが通過する幅の狭い狭小蒸気通路３８がリング状に形成される。
【００５１】
さらに、内筒３６０ｂの下端側の側面に、蒸気Ｖの一部が内部に流入させて、これを内部から外部に向けて放出する放出孔３６４ｂが複数設けられている。本実施例の場合、蒸気誘導部材３６ｂは、上記構成に加えて、内筒３６０ｂの外側面に螺旋状のリブ３６５ｂが設けられている。この螺旋状リブ３６５ｂは、放出孔３６４ｂの上方に配置されている。
【００５２】
この構成によれば、狭小蒸気通路３８内に螺旋状のリブ３６４ｂが介装されることになるので、蒸気Ｖは、狭小蒸気通路３８内で旋回し、この旋回に伴う遠心力を蒸気中に含まれている霧粒子（水分粒子）が受けると、外側の金属筒３４ａに当たり、瞬時に蒸発して蒸気となる。
【００５３】
このような現象は、リブ３６５ｂの形成されている範囲内で発生して、より一層蒸気の温度をすばやく上昇させるとともに、旋回を起すことで、蒸気Ｖの混合が行われ、温度の均一化もより一層促進する。
【００５４】
さらに、このような旋回は、吸入マスク３２内に持ち込まれて、吸入マスク３２の中で遠心力により蒸気Ｖが旋回して、吸引マスク３２全体に広がり、吸入マスク３２内での蒸気温度の均一化に貢献すると共に、旋回している蒸気Ｖは、指向性を有していて、より遠方に到達するので、吸入器を使用する使用者の喉などのより奥側まで侵入させることができる。
【００５５】
このような蒸気Ｖの旋回形態は、螺旋状のリブ３６５ｂにより得られるものであるが、リブ３６５ｂの形状を工夫することにより、図１０および図１１に示すように、蒸気Ｖの螺旋が、一方向のみを指向するように形成することができる。このような螺旋形態を採用すると、温度の均一化や指向性をより一層有効に活用することができる。なお、図１０および図１１に示した例では、放出孔３６４ｂを設けていないが、図８，９に示したような放出孔３６４ｂを設けても良い。
【００５６】
図１２および図１３は、上記第１実施例と第３実施例とにそれぞれ相当する試作品を作成して、吸入マスク３２内での温度分布を測定したときの測定結果を示している。これらの試作品では、加熱用ヒータ３４同一条件とし、実施例３の相当試作品では、実施例１の相当試作品の蒸気誘導部材３６の外面に螺旋状のリブ３６５ｂを形成したものとした。
【００５７】
吸入マスク３２内の温度分布は、直径が３６ｍｍφで、長さが１２０ｍｍのアクリルパイプを、マスク断面に対して、垂直になるように接合し、接合部から１０ｍｍ奥側のパイプ上に、上、中、下の３箇所に熱電対を設置して、霧化動作させた際の経時的な温度文武を測定した。
【００５８】
図１２が第１実施例相当品の測定結果であり、第１３図が第３実施例相当品の測定結果である。これらの測定結果から、明らかなように、図１２の場合には、温度分布に若干相違が認められるが、図１３の場合には、測定の初期に温度分布に乱れが認められるが、時間と共にこれがなくなり、均一な温度分布となることが確認された。
【００５９】
なお、上記実施例では、蒸気の発生源として、超音波式のカートリッジ１０を例示したが、本発明の実施は、これに限定されることはなく、霧をヒータの一部に吹き付けて蒸気を発生させる方式のものでも適用することができる。
【産業上の利用可能性】
【００６０】
本発明にかかる蒸気吸入器によれば、吸入マスク側に温度分布の均一な蒸気を供給することができるので、この技術を有効に活用することができる。
【図面の簡単な説明】
【００６１】
【図１】本発明にかかる蒸気吸入器の第１実施例を示す分解斜視図である。
【図２】図１に示した蒸気吸引器の組立状態の縦断面図である。
【図３】図１に示した蒸気吸入器の蒸気通路の断面図である。
【図４】図３のＡ部拡大図である。
【図５】図３に示した蒸気通路内に蒸気誘導部材を設置した状態の上面図と断面説明図である。
【図６】本発明にかかる蒸気吸入器の第２実施例において、蒸気通路内に蒸気誘導部材を設置した状態の上面図である。
【図７】図６の断面説明図である。
【図８】本発明にかかる蒸気吸入器の第３実施例において、蒸気通路内に蒸気誘導部材を設置した状態の上面図である。
【図９】図８の断面説明図である。
【図１０】上記第３実施例において、蒸気誘導部材近傍における蒸気の流れを示す説明である。
【図１１】上記第３実施例において、吸入マスク内での蒸気の流れを示す説明図である。
【図１２】図５，６に示した第１実施例相当試作品の吸入マスク内の温度分布の測定結果である。
【図１３】図８，９に示した第３実施例相当試作品の吸入マスク内の温度分布の測定結果である。
【符号の説明】
【００６２】
１０        超音波式カートリッジ
１２        本体
１４        電極
１６        霧化タンク
２０        カバー
２４        蒸気通路
３２        吸入マスク
３４        加温用ヒータ
３６，３６ａ，３６ｂ        蒸気誘導部材
３６０，３６０ａ，３６０ｂ  内筒
３６１，３６１ａ，３６１ｂ  外筒
３６３，３６３ａ，３６３ｂ  排出口
３６４ａ    放出孔
３６５ｂ    リブ
３８        狭小蒸気通路
【図１】
2006217955.tif 000003
【図２】
2006217955.tif 000004
【図３】
2006217955.tif 000005
【図４】
2006217955.tif 000006
【図５】
2006217955.tif 000007
【図６】
2006217955.tif 000008
【図７】
2006217955.tif 000009
【図８】
2006217955.tif 000010
【図９】
2006217955.tif 000011
【図１０】
2006217955.tif 000012
【図１１】
2006217955.tif 000013
【図１２】
2006217955.tif 000014
【図１３】
2006217955.tif 000015